(57)【要約】【課題】待機電力を削減し、再起動時においても液圧縮等の異常な運転にならず良好な運転ができる空気調和機を提供する。【解決手段】圧縮機１の停止時に、前記圧縮機１の吐出温度と外気温度との差が所定の温度ｔ１以下で、かつ、前記外気温度が所定の温度ｔ２以下になると、クランクケースヒータ２に通電するようにしたもので、外気温度に応じたクランクケースヒータ２への通電判定を行うことができると共に、圧縮機１が停止してから冷凍サイクルが冷えるまで通電を遅らせることができるため、外気温度が低い場合でも、通電開始までの時間が極端に短くならず、また、圧縮機２の停止中に外気温度の上昇等により圧縮機１内に冷媒が寝込まない条件となった場合に、クランクケースヒータ２を非通電とすれば、待機電力の削減とクランクケースヒータ２の寿命延長を図ることができる。【選択図】図１
2010112620.tif 000002
【特許請求の範囲】
【請求項１】
圧縮機の停止時に、前記圧縮機の吐出温度と外気温度との差が所定の温度ｔ１以下で、かつ、前記外気温度が所定の温度ｔ２以下になると、クランクケースヒータに通電するようにした空気調和機の制御装置。
【請求項２】
圧縮機の停止時に、前記圧縮機の吐出温度と外気温度との差が所定の温度ｔ１以下で、前記外気温度が所定の温度ｔ２以下で、かつ、前記圧縮機が停止後所定の時間経過するとクランクケースヒータに通電するようにした空気調和機の制御装置。
【請求項３】
圧縮機の停止時に、前記圧縮機の吐出温度と外気温度との差が所定の温度ｔ１以下で、前記吐出温度と室内温度との差が所定の温度ｔ３以下で、かつ、前記外気温度が所定の温度ｔ２以下になるとクランクケースヒータに通電するようにした空気調和機の制御装置。
【請求項４】
圧縮機の停止時に、前記圧縮機の吐出温度と外気温度との差が所定の温度ｔ１以下で、前記吐出温度と室内温度との差が所定の温度ｔ３以下で、外気温度が所定の温度ｔ２以下で、かつ、前記圧縮機が停止後所定の時間経過するとクランクケースヒータに通電するようにした空気調和機の制御装置。
【請求項５】
圧縮機の停止時に、前記圧縮機の吐出温度と、吐出圧力の飽和温度との差が所定の温度ｔ４以下で、かつ、外気温度が所定の温度ｔ２以下になると、クランクケースヒータに通電するようにした空気調和機の制御装置。
【請求項６】
圧縮機の停止時に、前記圧縮機の吐出温度と、吐出圧力の飽和温度との差が所定の温度ｔ４以下で、外気温度が所定の温度ｔ２以下で、かつ、前記圧縮機が停止後所定の時間経過するとクランクケースヒータに通電するようにした空気調和機の制御装置。
【請求項７】
圧縮機の停止時に、前記圧縮機の吐出温度と、吐出圧力の飽和温度との差が所定の温度ｔ４以下で、前記吐出圧力と吸入圧力との差が所定の圧力以下で、かつ、外気温度が所定の温度ｔ２以下になるとクランクケースヒータに通電するようにした空気調和機の制御装置。
【請求項８】
圧縮機の停止時に、前記圧縮機の吐出温度と、吐出圧力の飽和温度との差が所定の温度ｔ４以下で、前記吐出圧力と吸入圧力との差が所定の圧力以下で、外気温度が所定の温度ｔ２以下で、かつ、前記圧縮機が停止後所定時間経過するとクランクケースヒータに通電するようにした空気調和機の制御装置。
【発明の詳細な説明】
【技術分野】
【０００１】
本発明は、空気調和機の制御装置に関するもので、特に、圧縮機に装着されたクランクケースヒータへの通電を制御する空気調和機の制御装置に関するものである。
【背景技術】
【０００２】
従来のこの種の空気調和機の制御装置としては、吐出温度が所定の温度まで低下した際に、クランクケースヒータに通電させるようにしたものがある（例えば、特許文献１参照）。
【特許文献１】実開平１−１７８５６２号公報
【発明の開示】
【発明が解決しようとする課題】
【０００３】
しかしながら、上記特許文献１に開示された従来の空気調和機の制御装置の構成では、クランクケースヒータ制御装置が、吐出温度だけでクランクケースヒータへの通電を制御するため、外気温度が低い場合に、通電開始までの時間が極端に短くなり、待機電力の削減量が小さくなるという欠点があった。
【０００４】
また、上記従来の空気調和機の制御装置のクランクケースヒータ制御装置が室外機内の冷媒保有状態とは無関係にクランクケースヒータへの通電を制御するため、圧縮機内の冷媒保有量が多い場合でも通電されず、圧縮機の液圧縮発生頻度が増大するという欠点があった。
【０００５】
本発明は、上記従来の課題を解決するためのもので、外気温度が低い場合でも通電開始までの時間が極端に短くならず、待機電力の削減を図ることができる空気調和機の制御装置を提供することを目的とする。
【０００６】
また、圧縮機の液圧縮発生頻度を増大させることなく待機電力の削減を図ることができる空気調和機の制御装置を提供することを目的とする。
【課題を解決するための手段】
【０００７】
前記従来の課題を解決するために、本発明の空気調和機の制御装置は、圧縮機の停止時に、前記圧縮機の吐出温度と外気温度との差が所定の温度ｔ１以下で、かつ、前記外気温度が所定の温度ｔ２以下になると、クランクケースヒータに通電するようにしたもので、外気温度に応じたクランクケースヒータへの通電判定を行うことができると共に、圧縮機が停止してから冷凍サイクルが冷えるまで通電を遅らせることができるため、外気温度が低い場合でも、通電開始までの時間が極端に短くならず、また、圧縮機の停止中に外気温度の上昇等により圧縮機内に冷媒が寝込まない条件となった場合に、クランクケースヒータを非通電とすれば、待機電力の削減とクランクケースヒータの寿命延長を図ることができる。
【０００８】
また、本発明の空気調和機の制御装置は、圧縮機の停止時に、前記圧縮機の吐出温度と外気温度との差が所定の温度ｔ１以下で、前記外気温度が所定の温度ｔ２以下で、かつ、前記圧縮機が停止後所定の時間経過するとクランクケースヒータに通電するようにしたもので、外気温度に応じた通電開始判定を行うことができるため、外気温度が低い場合でも通電開始までの時間が極端に短くならず、待機電力の削減とクランクケースヒータの寿命延長を図ることができる。
【０００９】
また、本発明の空気調和機の制御装置は、圧縮機の停止時に、前記圧縮機の吐出温度と外気温度との差が所定の温度ｔ１以下で、前記吐出温度と室内温度との差が所定の温度ｔ３以下で、かつ、前記外気温度が所定の温度ｔ２以下になるとクランクケースヒータに通電するようにしたもので、外気温度だけでなく室内温度にも応じた通電開始判定を行うため、室内温度が外気温度より低い場合には通電開始をさらに遅らせることができ、また、圧縮機の停止中に、外気温度の上昇等により圧縮機１内に冷媒が寝込まない条件となった場合に、クランクケースヒータを非通電とすれば、待機電力の削減とクランクケースヒータの寿命延長を図ることができる。
【００１０】
また、本発明の空気調和機の制御装置は、圧縮機の停止時に、前記圧縮機の吐出温度と外気温度との差が所定の温度ｔ１以下で、前記吐出温度と室内温度との差が所定の温度ｔ３以下で、外気温度が所定の温度ｔ２以下で、かつ、前記圧縮機が停止後所定の時間経過するとクランクケースヒータに通電するようにしたもので、外気温度だけでなく室内温度にも応じた通電開始判定を行うため、室内温度が外気温度より低い場合には通電開始をさらに遅らせることができ、待機電力削減とクランクケースヒータ寿命延長のより大きな効果を得ることができる。
【００１１】
また、本発明の空気調和機の制御装置は、圧縮機の停止時に、前記圧縮機の吐出温度と、吐出圧力の飽和温度との差が所定の温度ｔ４以下で、かつ、外気温度が所定の温度ｔ２以下になると、クランクケースヒータに通電するようにしたもので、圧力と温度をクランクケースヒータの通電判定条件に入れることにより、冷凍サイクルの冷時判定を確実に行えることから、再起動時の液圧縮等を確実に防ぐことができるなどの信頼性を向上できると共に、無駄な通電時間を抑えることができ、また、圧縮機の停止中に外気温度の上昇等により圧縮機内に冷媒が寝込まない条件となった場合に、クランクケースヒータを非通電とすれば、待機電力の削減とクランクケースヒータの寿命延長を図ることができる。
【００１２】
また、本発明の空気調和機の制御装置は、圧縮機の停止時に、前記圧縮機の吐出温度と、吐出圧力の飽和温度との差が所定の温度ｔ４以下で、外気温度が所定の温度ｔ２以下で、かつ、前記圧縮機が停止後所定の時間経過するとクランクケースヒータに通電するようにしたもので、圧力と温度をクランクケースヒータの通電判定条件に入れることにより、冷凍サイクルの冷時判定を確実に行えることから、再起動時の液圧縮等を確実に防ぐことができるなどの信頼性を向上できると共に、無駄な通電時間を抑えることができることから、待機電力削減とクランクケースヒータの寿命延長に、より大きな効果を得ることができる。
【００１３】
また、本発明の空気調和機の制御装置は、圧縮機の停止時に、前記圧縮機の吐出温度と、吐出圧力の飽和温度との差が所定の温度ｔ４以下で、前記吐出圧力と吸入圧力との差が所定の圧力以下で、かつ、外気温度が所定の温度ｔ２以下になるとクランクケースヒータに通電するようにしたもので、高低圧の圧力差をクランクケースヒータの通電判定条件に入れることにより、圧縮機の停止からクランクケースヒータの通電までの時間を確実に確保でき、また、圧縮機の停止中に外気温度の上昇等により圧縮機内に冷媒が寝込まない条件となった場合に、クランクケースヒータを非通電とすれば、無駄な通電時間を抑えることができることから、待機電力削減とクランクケースヒータの寿命延長に、より大きな効果を得ることができる。
【００１４】
また、本発明の空気調和機の制御装置は、圧縮機の停止時に、前記圧縮機の吐出温度と、吐出圧力の飽和温度との差が所定の温度ｔ４以下で、前記吐出圧力と吸入圧力との差が所定の圧力以下で、外気温度が所定の温度ｔ２以下で、かつ、前記圧縮機が停止後所定時間経過するとクランクケースヒータに通電するようにしたもので、高低圧の圧力差をクランクケースヒータの通電判定条件に入れることにより、圧縮機停止からクランクケースヒ
ータの通電までの時間を確実に確保できるので無駄な通電時間を抑えることができることから、待機電力削減とクランクケースヒータの寿命延長に、より大きな効果を得ることができる。
【発明の効果】
【００１５】
本発明の空気調和機の制御装置は、圧縮機停止時に冷凍サイクルの状態を常に監視し、冷時状態の時のみクランクケースヒータへの通電を行うため、外気温度が低い場合でも通電開始までの時間が極端に短くならず、待機電力の削減とクランクケースヒータの寿命延長を図ることができる。
【発明を実施するための最良の形態】
【００１６】
第１の発明は、圧縮機の停止時に、前記圧縮機の吐出温度と外気温度との差が所定の温度ｔ１以下で、かつ、前記外気温度が所定の温度ｔ２以下になると、クランクケースヒータに通電するようにしたもので、外気温度に応じたクランクケースヒータへの通電判定を行うことができると共に、圧縮機が停止してから冷凍サイクルが冷えるまで通電を遅らせることができるため、外気温度が低い場合でも、通電開始までの時間が極端に短くならず、また、圧縮機の停止中に外気温度の上昇等により圧縮機内に冷媒が寝込まない条件となった場合に、クランクケースヒータを非通電とすれば、待機電力の削減とクランクケースヒータの寿命延長を図ることができる。
【００１７】
第２の発明は、圧縮機の停止時に、前記圧縮機の吐出温度と外気温度との差が所定の温度ｔ１以下で、前記外気温度が所定の温度ｔ２以下で、かつ、前記圧縮機が停止後所定の時間経過するとクランクケースヒータに通電するようにしたもので、外気温度に応じた通電開始判定を行うことができるため、外気温度が低い場合でも通電開始までの時間が極端に短くならず、待機電力の削減とクランクケースヒータの寿命延長を図ることができる。
【００１８】
第３の発明は、圧縮機の停止時に、前記圧縮機の吐出温度と外気温度との差が所定の温度ｔ１以下で、前記吐出温度と室内温度との差が所定の温度ｔ３以下で、かつ、前記外気温度が所定の温度ｔ２以下になるとクランクケースヒータに通電するようにしたもので、外気温度だけでなく室内温度にも応じた通電開始判定を行うため、室内温度が外気温度より低い場合には通電開始をさらに遅らせることができ、また、圧縮機の停止中に、外気温度の上昇等により圧縮機１内に冷媒が寝込まない条件となった場合に、クランクケースヒータを非通電とすれば、待機電力の削減とクランクケースヒータの寿命延長を図ることができる。
【００１９】
第４の発明は、圧縮機の停止時に、前記圧縮機の吐出温度と外気温度との差が所定の温度ｔ１以下で、前記吐出温度と室内温度との差が所定の温度ｔ３以下で、外気温度が所定の温度ｔ２以下で、かつ、前記圧縮機が停止後所定の時間経過するとクランクケースヒータに通電するようにしたもので、外気温度だけでなく室内温度にも応じた通電開始判定を行うため、室内温度が外気温度より低い場合には通電開始をさらに遅らせることができ、待機電力削減とクランクケースヒータ寿命延長のより大きな効果を得ることができる。
【００２０】
第５の発明は、圧縮機の停止時に、前記圧縮機の吐出温度と、吐出圧力の飽和温度との差が所定の温度ｔ４以下で、かつ、外気温度が所定の温度ｔ２以下になると、クランクケースヒータに通電するようにしたもので、圧力と温度をクランクケースヒータの通電判定条件に入れることにより、冷凍サイクルの冷時判定を確実に行えることから、再起動時の液圧縮等を確実に防ぐことができるなどの信頼性を向上できると共に、無駄な通電時間を抑えることができ、また、圧縮機の停止中に外気温度の上昇等により圧縮機内に冷媒が寝込まない条件となった場合に、クランクケースヒータを非通電とすれば、待機電力の削減とクランクケースヒータの寿命延長を図ることができる。
【００２１】
第６の発明は、圧縮機の停止時に、前記圧縮機の吐出温度と、吐出圧力の飽和温度との差が所定の温度ｔ４以下で、外気温度が所定の温度ｔ２以下で、かつ、前記圧縮機が停止後所定の時間経過するとクランクケースヒータに通電するようにしたもので、圧力と温度をクランクケースヒータの通電判定条件に入れることにより、冷凍サイクルの冷時判定を確実に行えることから、再起動時の液圧縮等を確実に防ぐことができるなどの信頼性を向上できると共に、無駄な通電時間を抑えることができることから、待機電力削減とクランクケースヒータの寿命延長に、より大きな効果を得ることができる。
【００２２】
第７の発明は、圧縮機の停止時に、前記圧縮機の吐出温度と、吐出圧力の飽和温度との差が所定の温度ｔ４以下で、前記吐出圧力と吸入圧力との差が所定の圧力以下で、かつ、外気温度が所定の温度ｔ２以下になるとクランクケースヒータに通電するようにしたもので、高低圧の圧力差をクランクケースヒータの通電判定条件に入れることにより、圧縮機の停止からクランクケースヒータの通電までの時間を確実に確保でき、また、圧縮機の停止中に外気温度の上昇等により圧縮機内に冷媒が寝込まない条件となった場合に、クランクケースヒータを非通電とすれば、無駄な通電時間を抑えることができることから、待機電力削減とクランクケースヒータの寿命延長に、より大きな効果を得ることができる。
【００２３】
第８の発明は、圧縮機の停止時に、前記圧縮機の吐出温度と、吐出圧力の飽和温度との差が所定の温度ｔ４以下で、前記吐出圧力と吸入圧力との差が所定の圧力以下で、外気温度が所定の温度ｔ２以下で、かつ、前記圧縮機が停止後所定時間経過するとクランクケースヒータに通電するようにしたもので、高低圧の圧力差をクランクケースヒータの通電判定条件に入れることにより、圧縮機停止からクランクケースヒータの通電までの時間を確実に確保できるので無駄な通電時間を抑えることができることから、待機電力削減とクランクケースヒータの寿命延長に、より大きな効果を得ることができる。
【００２４】
以下、本発明の実施の形態について、図面を参照しながら説明する。なお、この実施の形態によって本発明が限定されるものではない。
【００２５】
（実施の形態１）
図１は、本発明の実施の形態１における空気調和機の制御装置のブロック図、図２は、同空気調和機の制御装置のフローチャートである。
【００２６】
図１において、本実施の形態における空気調和機の制御装置は、圧縮機１と、クランクケースヒータ２と、マイコン３と、圧縮機１の吐出温度を検知する吐出温度センサ４と、外気温度を検知する外気温度センサ５を備えている。
【００２７】
以上のように構成された本実施の形態における空気調和機の制御装置について、以下、図２のフローチャートに従い、プログラムの動作を説明する。
【００２８】
まず圧縮機停止信号を受信した場合ＳＴＥＰ１で、圧縮機１の停止判定を行い、圧縮機１が停止していればＳＴＥＰ２に進み、停止していなければＳＴＥＰ５へ進む。ＳＴＥＰ２では、吐出温度センサ５が検知した温度Ｔｄと外気温度センサ６が検知した温度Ｔｏとの差を演算し、その解が、所定の温度値ｔ１以下でなければＳＴＥＰ５に進み、所定の温度値ｔ１以下となればＳＴＥＰ３に進む。
【００２９】
ＳＴＥＰ３では、外気温度センサ６が検知したＴｏが所定の温度値ｔ２以下でなければＳＴＥＰ５に進み、所定の温度値ｔ２以下となればＳＴＥＰ４に進みクランクケースヒータ２に通電し、ＳＴＥＰ１に戻る。上記判定条件を満たさず進んできたＳＴＥＰ５では、クランクケースヒータ２に通電せず、再度ＳＴＥＰ１に戻す。
【００３０】
このような動作をすることにより、外気温度に応じたクランクケースヒータ２への通電判定を行うことができると共に、圧縮機１が停止してから冷凍サイクルが冷えるまで通電を遅らせることができるため、外気温度が低い場合でも、通電開始までの時間が極端に短くならず、また、圧縮機１の停止中に外気温度の上昇等により圧縮機１内に冷媒が寝込まない条件となった場合においては、クランクケースヒータ２を非通電とすることから、待機電力の削減とクランクケースヒータ２の寿命延長を図ることができる。
【００３１】
（実施の形態２）
図３は、本発明の実施の形態２における空気調和機の制御装置のブロック図、図４は、同空気調和機の制御装置のフローチャートである。
【００３２】
図３において、本実施の形態における空気調和機の制御装置は、圧縮機１と、クランクケースヒータ２と、マイコン３と、圧縮機１の吐出温度を検知する吐出温度センサ４と、外気温度を検知する外気温度センサ５と、圧縮機１の停止時間を計時する圧縮機停止タイマ６を備えている。
【００３３】
以上のように構成された本実施の形態における空気調和機の制御装置について、以下、図４のフローチャートに従い、プログラムの動作を説明する。
【００３４】
まず圧縮機１の停止信号を受信した場合、ＳＴＥＰ６で圧縮機停止タイマ６による計時を開始し、ＳＴＥＰ１で、圧縮機１の停止判定を行い、圧縮機１が停止していればＳＴＥＰ２に進み、停止していなければＳＴＥＰ５へ進む。
【００３５】
ＳＴＥＰ２では、吐出温度センサ５が検知した温度Ｔｄと外気温度センサ６が検知した温度Ｔｏとの差を演算し、その解が所定の温度値ｔ１以下でなければＳＴＥＰ５に進み、所定の温度値ｔ１以下となればＳＴＥＰ３に進む。
【００３６】
ＳＴＥＰ３では、外気温度センサ６が検知した温度Ｔｏが、所定の温度値ｔ２以下でなければＳＴＥＰ５に進み、所定の温度値ｔ２以下となればＳＴＥＰ７に進む。ＳＴＥＰ７では、圧縮機停止タイマ６が計時した時間Ｔｉｍｅが所定の時間Ｔｉｍｅ１以上経過していなければＳＴＥＰ５に進み、所定の時間Ｔｉｍｅ１以上経過していればＳＴＥＰ４に進みクランクケースヒータ２に通電しＳＴＥＰ１に戻る。上記判定条件を満たさず進んできたＳＴＥＰ５では、クランクケースヒータ２に非通電にして再度ＳＴＥＰ１に戻す。
【００３７】
このような動作をすることにより、外気温度に応じた通電判定を行うことができると共に、圧縮機１が停止してから冷凍サイクルが冷えるまで通電を遅らせることができるため、外気温度が低い場合でも通電開始までの時間が極端に短くならず、また、圧縮機１の停止中に外気温度の上昇等により圧縮機１内に冷媒が寝込まない条件となった場合においては、クランクケースヒータ２を非通電とすることから、待機電力の削減とクランクケースヒータ２の寿命延長を図ることができる。
【００３８】
（実施の形態３）
図５は、本発明の実施の形態３における空気調和機の制御装置のブロック図、図６は、同空気調和機の制御装置のフローチャートである。
【００３９】
図５において、本実施の形態における空気調和機の制御装置は、圧縮機１と、クランクケースヒータ２と、マイコン３と、圧縮機１の吐出温度を検知する吐出温度センサ４と、外気温度を検知する外気温度センサ５と、室内の温度を検知する室内温度センサ７を備えている。
【００４０】
以上のように構成された本実施の形態における空気調和機の制御装置について、以下、図６のフローチャートに従い、プログラムの動作を説明する。
【００４１】
まず圧縮機１の停止信号を受信した場合、ＳＴＥＰ１で、圧縮機１の停止判定を行い圧縮機１が停止していればＳＴＥＰ２に進み、停止していなければＳＴＥＰ５へ進む。ＳＴＥＰ２では、吐出温度センサ５が検知した温度Ｔｄと外気温度センサ６が検知した温度Ｔｏとの差を演算し、その解が所定の温度値ｔ１以下でなければＳＴＥＰ５に進み、所定の温度値ｔ１以下となればＳＴＥＰ８に進む。
【００４２】
ＳＴＥＰ８では、吐出温度センサ５が検知した温度Ｔｄと室内温度センサ８が検知した温度Ｔｉとの差を演算し、その解が所定の温度値ｔ３以下でなければＳＴＥＰ５に進み、所定の温度値ｔ１以下となればＳＴＥＰ３に進む。ＳＴＥＰ３では、外気温度センサ６が検知した温度Ｔｏが所定の温度値ｔ２以下でなければＳＴＥＰ５に進み、所定の温度値ｔ２以下となればＳＴＥＰ４に進みクランクケースヒータ２に通電しＳＴＥＰ１に戻る。
【００４３】
上記判定条件を満たさず進んできたＳＴＥＰ５では、クランクケースヒータ２を非通電にして再度ＳＴＥＰ１に戻す。
【００４４】
このような動作をすることにより、外気温度だけでなく室内温度にも応じた通電開始判定を行うことができるため、室内温度が外気温度より低い場合には通電開始をさらに遅らせることができ、また、圧縮機１の停止中に、外気温度の上昇等により圧縮機１内に冷媒が寝込まない条件となった場合においては、クランクケースヒータ２を非通電とすることから、待機電力の削減とクランクケースヒータ２の寿命延長を図ることができる。
【００４５】
（実施の形態４）
図７は、本発明の実施の形態４における空気調和機の制御装置のブロック図、図８は、同空気調和機の制御装置のフローチャートである。
【００４６】
図７において、本実施の形態における空気調和機の制御装置は、圧縮機１と、クランクケースヒータ２と、マイコン３と、圧縮機１の吐出温度を検知する吐出温度センサ４と、外気温度を検知する外気温度センサ５と、圧縮機１の停止時間を計時する圧縮機停止タイマ６と、室内の温度を検知する室内温度センサ７を備えている。
【００４７】
以上のように構成された本実施の形態における空気調和機の制御装置について、以下、図８のフローチャートに従い、プログラムの動作を説明する。
【００４８】
まず圧縮機１の停止信号を受信した場合、ＳＴＥＰ６で圧縮機停止タイマ６による計時を開始し、ＳＴＥＰ１で、圧縮機１の停止判定を行い圧縮機１が停止していればＳＴＥＰ２に進み、停止していなければＳＴＥＰ５へ進む。ＳＴＥＰ２では、吐出温度センサ４が検知した温度Ｔｄと外気温度センサ５が検知した温度Ｔｏとの差を演算し、その解が所定の温度値ｔ１以下でなければＳＴＥＰ５に進み、所定の温度値ｔ１以下となればＳＴＥＰ８に進む。
【００４９】
ＳＴＥＰ８では、吐出温度センサ５が検知した温度Ｔｄと、室内温度センサ８が検知した温度Ｔｉとの差を演算し、その解が所定の温度値ｔ３以下でなければＳＴＥＰ５に進み、所定の温度値ｔ３以下となればＳＴＥＰ３に進む。ＳＴＥＰ３では、外気温度センサ６が検知した温度Ｔｏが所定の温度値ｔ２以下でなければＳＴＥＰ５に進み、所定の温度値ｔ２以下となればＳＴＥＰ７に進む。
【００５０】
ＳＴＥＰ７では、圧縮機停止タイマ６が計時した時間Ｔｉｍｅが所定時間Ｔｉｍｅ１以上経過していなければＳＴＥＰ５に進み、所定時間Ｔｉｍｅ１以上経過していればＳＴＥＰ４に進みクランクケースヒータ２に通電しＳＴＥＰ１に戻る。
【００５１】
上記判定条件を満たさず進んできたＳＴＥＰ５では、クランクケースヒータ２を非通電にして再度ＳＴＥＰ１に戻す。
【００５２】
このような動作をすることにより、外気温度だけでなく室内温度にも応じた通電開始判定を行うことができるため、室内温度が外気温度より低い場合には、通電開始をさらに遅らせることができ、また、圧縮機１の停止中に外気温度の上昇等により圧縮機１内に冷媒が寝込まない条件となった場合においては、クランクケースヒータ２を非通電とすることから、待機電力の削減とクランクケースヒータ２の寿命延長を図ることができる。
【００５３】
（実施の形態５）
図９は、本発明の実施の形態５における空気調和機の制御装置のブロック図、図１０は、同空気調和機の制御装置のフローチャートである。
【００５４】
図９において、本実施の形態における空気調和機の制御装置は、圧縮機１と、クランクケースヒータ２と、マイコン３と、圧縮機１の吐出温度を検知する吐出温度センサ４と、外気温度を検知する外気温度センサ５と、圧縮機１の吐出圧力を検知する吐出圧力センサ８を備えている。
【００５５】
以上のように構成された本実施の形態における空気調和機の制御装置について、以下、図１０のフローチャートに従い、プログラムの動作を説明する。
【００５６】
まず圧縮機１の停止信号を受信した場合、ＳＴＥＰ１で、圧縮機１の停止判定を行い圧縮機１が停止していればＳＴＥＰ９に進み、停止していなければＳＴＥＰ５へ進む。
ＳＴＥＰ９では、吐出温度センサ５が検知した温度Ｔｄと、吐出圧力センサ８が検知した圧力Ｐｄから算出した飽和温度Ｐｄ＿Ｔとの差を演算し、その解が所定の温度値ｔ４以下でなければＳＴＥＰ５に進み、所定の温度値ｔ４以下となればＳＴＥＰ３に進む。
【００５７】
ＳＴＥＰ３では、外気温度センサ６が検知した温度Ｔｏが、所定の温度値ｔ２以下でなければＳＴＥＰ５に進み、所定の温度値ｔ２以下となればＳＴＥＰ４に進みクランクケースヒータ２を通電しＳＴＥＰ１に戻る。
【００５８】
上記判定条件を満たさず進んできたＳＴＥＰ５では、クランクケースヒータ２を非通電にして再度ＳＴＥＰ１に戻す。
【００５９】
以上のように、本実施の形態によれば、圧力と温度をクランクケースヒータ２の通電判定条件に入れることにより、冷凍サイクルの冷時判定を確実に行えることから、再起動時の液圧縮等を確実に防ぐことができるなどの信頼性を向上できると共に、無駄な通電時間を抑えることができ、また、圧縮機１の停止中に外気温度の上昇等により圧縮機１内に冷媒が寝込まない条件となった場合においては、クランクケースヒータ２を非通電とすることから、待機電力の削減とクランクケースヒータ２の寿命延長を図ることができる。
【００６０】
（実施の形態６）
図１１は、本発明の実施の形態６における空気調和機の制御装置のブロック図、図１２は、同空気調和機の制御装置のフローチャートである。
【００６１】
図１１において、本実施の形態における空気調和機の制御装置は、圧縮機１と、クラン
クケースヒータ２と、マイコン３と、圧縮機１の吐出温度を検知する吐出温度センサ４と、外気温度を検知する外気温度センサ５と、圧縮機１の停止時間を計時する圧縮機停止タイマ６と、圧縮機１の吐出圧力を検知する吐出圧力センサ８を備えている。
【００６２】
以上のように構成された本実施の形態における空気調和機の制御装置について、以下、図１２のフローチャートに従い、プログラムの動作を説明する。
【００６３】
まず圧縮機１の停止信号を受信した場合、ＳＴＥＰ６で圧縮機停止タイマによる計時を開始し、ＳＴＥＰ１で、圧縮機１の停止判定を行い圧縮機１が停止していればＳＴＥＰ９に進み、停止していなければＳＴＥＰ５へ進む。
【００６４】
ＳＴＥＰ９では、吐出温度センサ５が検知した温度Ｔｄと、吐出圧力センサで検知された圧力Ｐｄから算出した飽和温度Ｐｄ＿Ｔとの差を演算し、その解が所定の温度値ｔ４以下でなければＳＴＥＰ５に進み、所定の温度値ｔ４以下となればＳＴＥＰ３に進む。ＳＴＥＰ３では、外気温度センサ６が検知した温度Ｔｏが、所定の温度値ｔ２以下でなければＳＴＥＰ５に進み、所定の温度値ｔ２以下となれば、ＳＴＥＰ７に進む。
【００６５】
ＳＴＥＰ７では、圧縮機停止タイマ６が計時した時間Ｔｉｍｅが所定時間Ｔｉｍｅ１以上経過していなければＳＴＥＰ５に進み、所定時間Ｔｉｍｅ１以上経過していればＳＴＥＰ４に進みクランクケースヒータ２に通電しＳＴＥＰ１に戻る。
【００６６】
上記判定条件を満たさず進んできたＳＴＥＰ５では、クランクケースヒータ２を非通電にして、再度ＳＴＥＰ１に戻す。
【００６７】
このように、本実施の形態によれば、圧力と温度をクランクケースヒータ２の通電判定条件に入れることにより、冷凍サイクルの冷時判定を確実に行えることから、再起動時の液圧縮等を確実に防ぐことができるなどの信頼性を向上できると共に、無駄な通電時間を抑えることができ、また、圧縮機１の停止中に外気温度の上昇等により圧縮機１内に冷媒が寝込まない条件となった場合においては、クランクケースヒータ２を非通電とすることから、待機電力の削減とクランクケースヒータ２の寿命延長を図ることができる。
【００６８】
（実施の形態７）
図１３は、本発明の実施の形態７における空気調和機の制御装置のブロック図、図１４は、同空気調和機の制御装置のフローチャートである。
【００６９】
図１３において、本実施の形態における空気調和機の制御装置は、圧縮機１と、クランクケースヒータ２と、マイコン３と、圧縮機１の吐出温度を検知する吐出温度センサ４と、外気温度を検知する外気温度センサ５と、圧縮機１の吐出圧力を検知する吐出圧力センサ８と、圧縮機１の吸入圧力を検知する吸入圧力センサ９を備えている。
【００７０】
以上のように構成された本実施の形態における空気調和機の制御装置について、以下、図１４のフローチャートに従い、プログラムの動作を説明する。
【００７１】
まず圧縮機１の停止信号を受信した場合ＳＴＥＰ１で、圧縮機１の停止判定を行い圧縮機１が停止していればＳＴＥＰ９に進み、停止していなければＳＴＥＰ５へ進む。ＳＴＥＰ９では、吐出温度センサ５が検知した温度Ｔｄと、吐出圧力センサ８が検知した圧力Ｐｄから算出した飽和温度Ｐｄ＿Ｔとの差を演算し、その解が所定の温度値ｔ４以下でなければＳＴＥＰ５に進み、所定の温度値ｔ４以下となればＳＴＥＰ１０に進む。
【００７２】
ＳＴＥＰ１０では、吐出圧力センサ８が検知した圧力Ｐｄと、吸入圧力センサ９が検知
した圧力Ｐｓとの差を演算し、その解が所定圧力値ｐ１以下でなければＳＴＥＰ５に進み、所定圧力値ｐ１以下となればＳＴＥＰ３に進む。ＳＴＥＰ３では、外気温度センサ６が検知した温度Ｔｏが所定の温度値ｔ２以下でなければＳＴＥＰ５に進み、所定の温度値ｔ２以下となればＳＴＥＰ４に進みクランクケースヒータ２に通電しＳＴＥＰ１に戻る。
【００７３】
上記判定条件を満たさず進んできたＳＴＥＰ５では、クランクケースヒータ２を非通電にして再度ＳＴＥＰ１に戻す。
【００７４】
以上のように、本実施の形態によれば、高低圧の圧力差をクランクケースヒータ２の通電判定条件に入れることにより、圧縮機１の停止からクランクケースヒータ２の通電までの時間を確実に確保でき、また、圧縮機１の停止中に外気温度の上昇等により圧縮機１内に冷媒が寝込まない条件となった場合においては、クランクケースヒータ２を非通電とするなど、無駄な通電時間を抑えることができることから、待機電力削減とクランクケースヒータ２の寿命延長のより大きな効果を得ることができる。
【００７５】
（実施の形態８）
図１５は、本発明の実施の形態８における空気調和機の制御装置のブロック図、図１６は、同空気調和機の制御装置のフローチャートである。
【００７６】
図１５において、本実施の形態における空気調和機の制御装置は、圧縮機１と、クランクケースヒータ２と、マイコン３と、圧縮機１の吐出温度を検知する吐出温度センサ４と、外気温度を検知する外気温度センサ５と、圧縮機１の停止時間を計時する圧縮機停止タイマ６と、圧縮機１の吐出圧力を検知する吐出圧力センサ８と、圧縮機１の吸入圧力を検知する吸入圧力センサ９を備えている。
【００７７】
以上のように構成された本実施の形態における空気調和機の制御装置について、以下、図１６のフローチャートに従い、プログラムの動作を説明する。
【００７８】
まず圧縮機１の停止信号を受信した場合、ＳＴＥＰ６で圧縮機停止タイマ６による計時を開始し、ＳＴＥＰ１で、圧縮機１の停止判定を行い圧縮機１が停止していればＳＴＥＰ９に進み、停止していなければＳＴＥＰ５へ進む。ＳＴＥＰ９では、吐出温度センサ４が検知した温度Ｔｄと、吐出圧力センサ８が検知した圧力Ｐｄから算出した飽和温度Ｐｄ＿Ｔとの差を演算し、その解が所定の温度値ｔ４以下でなければＳＴＥＰ５に進み、所定の温度値ｔ４以下となればＳＴＥＰ１０に進む。
【００７９】
ＳＴＥＰ１０では、吐出圧力センサ８が検知した圧力Ｐｄと、吸入圧力センサ９が検知した圧力Ｐｓとの差を演算し、その解が所定圧力値ｐ１以下でなければＳＴＥＰ５に進み、所定圧力値ｐ１以下となればＳＴＥＰ３に進む。
【００８０】
ＳＴＥＰ３では、外気温度センサ６が検知した温度Ｔｏが所定の温度値ｔ２以下でなければＳＴＥＰ５に進み、所定の温度値ｔ２以下となればＳＴＥＰ７に進む。ＳＴＥＰ７では、圧縮機停止タイマ６が計時した時間Ｔｉｍｅが所定時間Ｔｉｍｅ１以上経過していなければＳＴＥＰ５に進み、所定時間Ｔｉｍｅ１以上経過していればＳＴＥＰ４に進みクランクケースヒータ２に通電しＳＴＥＰ１に戻る。
【００８１】
上記判定条件を満たさず進んできたＳＴＥＰ５では、クランクケースヒータ２を非通電にして再度ＳＴＥＰ１に戻す。
【００８２】
以上のように、本実施の形態によれば、高低圧の圧力差をクランクケースヒータ２の通電判定条件に入れることにより、圧縮機１の停止からクランクケースヒータ２の通電まで
の時間を確実に確保でき、また、圧縮機１の停止中に、外気温度の上昇等により圧縮機１内に冷媒が寝込まない条件となった場合においては、クランクケースヒータ２を非通電とするなど、無駄な通電時間を抑えることができることから、待機電力削減とクランクケースヒータ２の寿命延長により、大きな効果を得ることができる。
【産業上の利用可能性】
【００８３】
本発明の空気調和機の制御装置は、待機電力削減とクランクケースヒータ寿命延長に、より大きな効果を得ることができ、家庭用の空気調和機や各種多室型空気調和機に適用できるものである。
【図面の簡単な説明】
【００８４】
【図１】本発明の実施の形態１における空気調和機の制御装置のブロック図
【図２】同空気調和機の制御装置のフローチャート
【図３】本発明の実施の形態２における空気調和機の制御装置のブロック図
【図４】同空気調和機の制御装置のフローチャート
【図５】本発明の実施の形態３における空気調和機の制御装置のブロック図
【図６】同空気調和機の制御装置のフローチャート
【図７】本発明の実施の形態４における空気調和機の制御装置のブロック図
【図８】同空気調和機の制御装置のフローチャート
【図９】本発明の実施の形態５における空気調和機の制御装置のブロック図
【図１０】同空気調和機の制御装置のフローチャート
【図１１】本発明の実施の形態６における空気調和機の制御装置のブロック図
【図１２】同空気調和機の制御装置のフローチャート
【図１３】本発明の実施の形態７における空気調和機の制御装置のブロック図
【図１４】同空気調和機の制御装置のフローチャート
【図１５】本発明の実施の形態８における空気調和機の制御装置のブロック図
【図１６】同空気調和機の制御装置のフローチャート
【符号の説明】
【００８５】
１  圧縮機
２  クランクケースヒータ
３  マイコン
４  吐出温度センサ
５  外気温度センサ
６  圧縮機停止タイマ
７  室内温度センサ
８  吐出圧力センサ
９  吸入圧力センサ
【図１】
2010112620.tif 000003
【図２】
2010112620.tif 000004
【図３】
2010112620.tif 000005
【図４】
2010112620.tif 000006
【図５】
2010112620.tif 000007
【図６】
2010112620.tif 000008
【図７】
2010112620.tif 000009
【図８】
2010112620.tif 000010
【図９】
2010112620.tif 000011
【図１０】
2010112620.tif 000012
【図１１】
2010112620.tif 000013
【図１２】
2010112620.tif 000014
【図１３】
2010112620.tif 000015
【図１４】
2010112620.tif 000016
【図１５】
2010112620.tif 000017
【図１６】
2010112620.tif 000018